(57)【特許請求の範囲】
【請求項１】
筒状の芯部材にシート材が巻き付けられて構成されたロール体と、
前記シート材を引き出せるように、前記ロール体を保持する保持部と、
前記ロール体に設けられ、前記シート材に関する情報を示すシート材情報部と、
前記保持部によって保持されている前記ロール体の前記シート材情報部を光学的に読み取る読取部と、
前記読取部による読取結果に基づいて、前記シート材を使い切ったことを検知する検知部とを備え、
前記芯部材は、内部から外部に向けて前記読取部による光学的な読み取りが可能となるように光が通過する光通過部を有し、
前記ロール体は、前記芯部材の外面と前記シート材の内面との間に位置し、前記シート材情報部を形成するために用いられる形成部を有し、
前記シート材情報部は、前記形成部における前記光通過部に対応する部分に形成され、
前記形成部は、前記芯部材及び前記シート材に付着され、
前記シート材と前記形成部との間の付着力が、前記芯部材と前記形成部との間の付着力よりも大きく、
前記検知部は、前記保持部に保持されている前記ロール体から、前記シート材を引き出す引出動作中に、前記読取部が前記シート材情報部を読み取った読取信号を受信すると前記シート材があると検知し、前記読取信号を受信しなくなると前記シート材がなくなったと検知するよう構成されていることを特徴とするシート材切れ検知機構。
【請求項２】
筒状の芯部材と、
前記芯部材に巻き付けられているシート材と、
前記芯部材の外面と前記シート材の内面との間に位置し、前記シート材に関する情報を示すシート材情報部を形成するために用いられる形成部とを備え、
前記芯部材は、内部から外部に向けて光学的な読み取りが可能となるように光が通過する光通過部を有し、
前記シート材情報部は、前記形成部における前記光通過部に対応する部分に形成され、
前記形成部は、前記芯部材及び前記シート材に付着され、
前記シート材と前記形成部との間の付着力が、前記芯部材と前記形成部との間の付着力よりも大きいことを特徴とするロール体。
【請求項３】
筒状の芯部材にシート材を巻き付けてロール体を製造するロール体の製造方法であって、
前記芯部材は、内部から外部に向けて光学的な読み取りが可能となるように光が通過する光通過部を有しており、
前記シート材に関する情報を示すシート材情報部を、このシート材情報部を形成するための形成部に形成する工程と、
前記シート材情報部が前記光通過部に対応するようにして、前記芯部材の外面に前記形成部を貼り付ける工程と、
前記シート材の巻き始めの部分に前記形成部を貼り付ける工程と、
前記芯部材に前記シート材を巻き付ける工程とを含み、
前記シート材の巻き始めの部分に前記形成部を貼り付ける工程の後における、前記シート材と前記形成部との間の付着力が、前記芯部材と前記形成部との間の付着力よりも大きいことを特徴とするロール体の製造方法。
【発明の詳細な説明】
【技術分野】
【０００１】
本発明は、例えばロール体からシート材を引き出して使用するシート使用機器に用いられるシート材切れ検知機構、ロール体、及び、ロール体の製造方法に関するものである。
【背景技術】
【０００２】
シート使用機器の一例である薬剤包装装置には、シート材に関する情報を取得し、この情報に基づいて動作するものがある。シート材に関する情報は、シート材が巻き付けられている芯部材に設けられている（例えば特許文献１参照）。
【０００３】
従来、薬剤包装装置では、シート材に関する情報を取得するための構成とは別に、シート材を使い切ったことを検知するための構成を設けている。特許文献１に記載の発明では、「紙切れ検知ピン」による機械的な構成である。このような機械的な構成を別に設けると、部品の摩耗等により故障が発生する可能性がある。
【先行技術文献】
【特許文献】
【０００４】
【特許文献１】特開２００９−２２７４６９号公報
【発明の概要】
【発明が解決しようとする課題】
【０００５】
そこで本発明は、シート材を使い切ったことを簡便に検知することができる、シート材切れ検知機構、ロール体、及び、ロール体の製造方法を提供することを課題とする。
【課題を解決するための手段】
【０００６】
本発明は、筒状の芯部材にシート材が巻き付けられて構成されたロール体と、前記シート材を引き出せるように、前記ロール体を保持する保持部と、前記ロール体に設けられ、前記シート材に関する情報を示すシート材情報部と、前記保持部によって保持されている前記ロール体の前記シート材情報部を光学的に読み取る読取部と、前記読取部による読取結果に基づいて、前記シート材を使い切ったことを検知する検知部とを備え、前記芯部材は、内部から外部に向けて前記読取部による光学的な読み取りが可能となるように光が通過する光通過部を有し、前記ロール体は、前記芯部材の外面と前記シート材の内面との間に位置し、前記シート材情報部を形成するために用いられる形成部を有し、前記シート材情報部は、前記形成部における前記光通過部に対応する部分に形成され、前記形成部は、前記芯部材及び前記シート材に付着され、前記シート材と前記形成部との間の付着力が、前記芯部材と前記形成部との間の付着力よりも大きく、前記検知部は、前記保持部に保持されている前記ロール体から、前記シート材を引き出す引出動作中に、前記読取部が前記シート材情報部を読み取った読取信号を受信すると前記シート材があると検知し、前記読取信号を受信しなくなると前記シート材がなくなったと検知するよう構成されているシート材切れ検知機構である。
【０００７】
本発明によれば、ロール体は、筒状の芯部材にシート材が巻き付けられて構成されている。ロール体には、シート材に関する情報を示すシート材情報部が形成されている。ロール体は、シート材を引き出せるように、保持部によって保持される。保持部によってロール体が保持されると、読取部によって、ロール体のシート材情報部が光学的に読み取られる。
芯部材は、内部から外部に向けて読取部による光学的な読み取りが可能となるように光が通過する光通過部を有する。ロール体は、芯部材の外面とシート材の内面との間に位置し、シート材情報部を形成するために用いられる形成部を有し、この形成部における光通過部に対応する部分に、シート材情報部が形成される。したがってシート材を使い切る直前まで、読取部がシート材情報部を読み取ることができる。
形成部は、芯部材及びシート材に付着される。このように形成部が芯部材にも付着されるので、芯部材の光通過部と形成部との位置合わせ作業を容易化することができる。
しかもシート材と形成部との間の付着力が、芯部材と形成部との間の付着力よりも大きいので、ロール体からシート材が引き出されていくと、最後には、シート材情報部が形成されている形成部がシート材とともに芯部材から引き離され、シート材情報部が、光通過部に対応した位置から外れ、読取部がシート材情報部を読み取ることができなくなる。
この点を踏まえて、検知部は、保持部に保持されているロール体から、シート材を引き出す引出動作中に、読取部がシート材情報部を読み取った読取信号を受信するとシート材があると検知し、読取信号を受信しなくなるとシート材がなくなったと検知するよう構成されている。このように検知部は、読取部が情報表示部を読み取ることができなくなったことをもって、シート材を使い切ったことを検知することができる。特許文献１に記載の発明では「紙切れ検知ピン」による機械的な構成による検知がなされていたが、本発明のような構成によると、シート材を使い切ったことを検知するための機械的な構成を設ける必要がなく、故障の発生しにくいシート材切れ検知機構とできる。
【０００８】
そして本発明は、筒状の芯部材と、前記芯部材に巻き付けられているシート材と、前記芯部材の外面と前記シート材の内面との間に位置し、前記シート材に関する情報を示すシート材情報部を形成するために用いられる形成部とを備え、前記芯部材は、内部から外部に向けて光学的な読み取りが可能となるように光が通過する光通過部を有し、前記シート材情報部は、前記形成部における前記光通過部に対応する部分に形成され、前記形成部は、前記芯部材及び前記シート材に付着され、前記シート材と前記形成部との間の付着力が、前記芯部材と前記形成部との間の付着力よりも大きいロール体である。
【０００９】
本発明によれば、ロール体は、筒状の芯部材にシート材が巻き付けられて構成されている。ロール体は、シート材に関する情報を示すシート材情報部を形成するために用いられる形成部を備える。芯部材は、内部から外部に向けて光学的な読み取りが可能となるように光が通過する光通過部を有する。形成部は、芯部材の外面とシート材の内面との間に位置し、この形成部における光通過部に対応する部分に、シート材情報部が形成される。したがってシート材を使い切る直前まで、シート材情報部を残すことができる。
形成部は、芯部材及びシート材に付着される。このように形成部が芯部材にも付着されるので、芯部材の光通過部と形成部との位置合わせ作業を容易化することができる。
しかもシート材と形成部との間の付着力が、芯部材と形成部との間の付着力よりも大きいので、ロール体からシート材が引き出されていくと、最後には、シート材情報部が形成されている形成部がシート材とともに芯部材から引き離され、シート材情報部が、光通過部に対応した位置から外れる。したがってシート材情報部を、シート材を使い切ったことを検知するためのものとしても利用することができる。
【００１０】
そして本発明は、筒状の芯部材にシート材を巻き付けてロール体を製造するロール体の製造方法であって、前記芯部材は、内部から外部に向けて光学的な読み取りが可能となるように光が通過する光通過部を有しており、前記シート材に関する情報を示すシート材情報部を、このシート材情報部を形成するための形成部に形成する工程と、前記シート材情報部が前記光通過部に対応するようにして、前記芯部材の外面に前記形成部を貼り付ける工程と、前記シート材の巻き始めの部分に前記形成部を貼り付ける工程と、前記芯部材に前記シート材を巻き付ける工程とを含み、前記シート材の巻き始めの部分に前記形成部を貼り付ける工程の後における、前記シート材と前記形成部との間の付着力が、前記芯部材と前記形成部との間の付着力よりも大きいことを特徴とするロール体の製造方法である。
【００１１】
本発明によれば、筒状の芯部材は、内部から外部に向けて光学的な読み取りが可能となるように光が通過する光通過部を有している。ロール体を製造するにあたっては、まず、芯部材に巻き付けられるシート材に関する情報を示すシート材情報部を、このシート材情報部を形成するための形成部に形成する。この後、シート材情報部が光通過部に対応するようにして、芯部材の外面に形成部を貼り付ける。したがって形成部に対するシート材情報部の形成作業を容易化するとともに、シート材情報部と光通過部との位置合わせ作業を容易化することができる。またシート材の巻き始めの部分に形成部を貼り付ける。シート材の巻き始めの部分に形成部を貼り付ける工程の後における、シート材と形成部との間の付着力は、芯部材と形成部との間の付着力よりも大きくなる。そしてこの後、芯部材にシート材を巻き付ける。したがってシート材を芯部材に仮止めすることができ、芯部材にシート材を円滑に巻き付けることができる。
【発明の効果】
【００１２】
本発明は、シート材を使い切ったことを検知するための機械的な構成を設ける必要がなく、故障の発生しにくいシート材切れ検知機構とできる。よって、機械的な構成を用いることなく、シート材を使い切ったことを簡便に検知することができる。
【図面の簡単な説明】
【００１３】
【図１】本発明の一実施形態に係るロール体を用いて薬剤を包装するための機構を簡単に示した斜視図である。
【図２】本発明の一実施形態に係るロール体を示し、（Ａ）はロール体の外観を示す斜視図であり、（Ｂ）はロール体の径方向断面を示す、要部拡大の斜視図である。
【図３】本発明の一実施形態に係るシール部を示し、（Ａ）は側面図（厚さ方向を誇張して示している）、（Ｂ）は底面図である。
【図４】本発明の一実施形態に係るロール体の製造手順を（Ａ）〜（Ｃ）の順に軸方向から示した概略図である。なお、図中のシール部は、厚さ方向を誇張して示している。
【図５】（Ａ）は本発明の一実施形態に係るロール体と薬剤包装装置の保持部との関係を示す、概略的な斜視図であり、（Ｂ）は芯部材から包材が離脱したところを示す概略的な斜視図である。
【発明を実施するための形態】
【００１４】
本発明につき、一実施形態を取り上げて以下に説明する。
図１は、包材切れ検知機構を備えた薬剤包装装置におけるロール体１の周辺部分を示す図である。ロール体１は、長尺のシート材である包材１２が芯部材１１に巻き付けられて構成されている。シート使用機器である薬剤包装装置は、ロール体１から包材１２を引き出して使用する。薬剤包装装置は、固形の薬剤を包装するために用いられる。
【００１５】
薬剤包装装置は、包材１２を引き出せるように、ロール体１を保持する保持部２と、保持部２によって保持されているロール体１から引き出された包材１２に薬剤を投入するためのホッパー４と、ホッパー４を介して包材１２に投入された薬剤を包材１２内に封止するための封止部５と、封止部５を制御する制御部とを備える。
【００１６】
保持部２は、軸部２１を有する。軸部２１は、この軸部２１の軸線まわりに回転可能に設けられる。保持部２の軸部２１には、図５（Ａ）に示すように、ロール体１の芯部材１１が外嵌される。
【００１７】
保持部２とホッパー４との間には、半折り機構３が設けられる。半折り機構３は、ロール体１から引き出された包材１２を幅方向に半分に折る。包材１２の半折りされた部分には、図１に示すようにホッパー４が挿入される。
【００１８】
封止部５は、保持部２によって保持されているロール体１から引き出された包材１２に作用する作用部として機能する。封止部５は、包材１２を熱圧着することによって、半折りされた包材１２内に薬剤を封止する。つまり、この封止部５の作用は包材１２に関連して奏されるものであり、熱圧着による包材１２の封止である。
【００１９】
図２は、ロール体１を説明するための図であり、（Ａ）はロール体１の外観を示す斜視図であり、（Ｂ）はロール体１の径方向断面を示す要部拡大の斜視図である。ロール体１は、芯部材１１と、芯部材１１に巻き付けられている包材１２と、芯部材１１の外面と包材１２の内面との間に位置し、後述の包材情報部１４を形成するために用いられる形成部としてのシール部１３とを備える。
【００２０】
芯部材１１は、筒状であり、本実施形態では円筒状である。芯部材１１は樹脂製である。芯部材１１の材質は、樹脂に限定されない。芯部材１１は、包材１２を巻き付けることのできる保形性を有するように形成できるのならば、種々の材質で形成できる。
【００２１】
芯部材１１は、内部から外部に向けて後述の読取部６による光学的な読み取りが可能となるように光が通過する光通過部を有する。本実施形態では、芯部材１１には、光通過部としての貫通窓１１１が形成されている。貫通窓１１１は、芯部材１１を、この芯部材１１の軸線と交差する方向に貫通する貫通孔である。本実施形態では、貫通窓１１１は、芯部材１１を内外方向、つまり、この芯部材１１の径方向に貫通するように形成されている。貫通窓１１１は、径方向視で長方形形状または正方形形状である。貫通窓１１１の形状は、長方形や正方形に限られず、円形や多角形等、種々の形状とできる。貫通窓１１１は、図２（Ｂ）に示すように、芯部材１１の軸方向一端部寄りの部分に形成される。
【００２２】
貫通窓１１１は、芯部材１１における内面１１２（図２（Ｂ）参照）の総面積に比べ、可能な限り小さく形成しておくことが望ましい。貫通窓１１１の面積を小さくすることで、貫通窓１１１が包材１２に与える影響を小さくすることができる。具体的には、芯部材１１に巻き付けられた包材１２における貫通窓１１１に対応した部分に、貫通窓１１１の面積を小さくした分、凹みを発生しにくくすることができる。そのため、包材１２に、皺が発生したり、貫通窓１１１の跡が付いたりすることを軽減することができる。
【００２３】
ただし本実施形態の貫通窓１１１は、シート材情報部である後述の包材情報部１４が芯部材１１によって隠されないように、包材情報部１４の面積よりも大きい面積を有する必要がある。
【００２４】
ロール体１には、包材１２に関する情報を示す包材情報部１４が形成されている。包材１２に関する情報としては、包材１２の種類（例えば、材質や厚さ）が挙げられる。また包材１２に関する情報としては、例えば、トレーサビリティに関連する情報、例えば包材１２の製造ロット番号及び製造所の情報が挙げられる。
【００２５】
包材情報部１４は、光学的に読み取り可能である。包材情報部１４を光学的に読み取るための光は、可視光に限られず、例えば赤外線や紫外線であってもよい。包材情報部１４は、印刷によって形成される。
【００２６】
包材情報部１４は、複数の要素が物理的（光学的または視覚的）に一つにまとまったものである。包材情報部１４は、この包材情報部１４の全体（つまり、前記複数の要素の一まとまり）で、包材１２に関する情報を示す。包材情報部１４は、包材１２に関する情報をコード化したものである。本実施形態では、包材情報部１４として、二次元コード（「ＱＲコード」（登録商標））が用いられる。したがって後述の読取部６として、汎用の手段を用いることができる。
【００２７】
図３は、シール部を説明するための図であって、図３（Ａ）は側面図であり、図３（Ｂ）は底面図である。芯部材１１の外面と包材１２の内面との間には、包材情報部１４を形成するための形成部としてのシール部１３が設けられる。
【００２８】
シール部１３は、芯部材１１及び包材１２に付着（接着、粘着など）される。このとき、包材１２とシール部１３との間の付着力は、芯部材１１とシール部１３との間の付着力よりも大きい。換言すれば、シール部１３は、前記付着の際、包材１２とシール部１３の外面１３ｂとの間の付着力が、芯部材１１とシール部１３の内面１３ａとの間の付着力よりも大きくなるよう形成されている。シール部１３の内面１３ａと外面１３ｂとの付着力の差異は、例えば、前記付着力を発揮するための付着手段（接着剤、粘着剤など）の種類、濃度、塗布量または塗布密度、付着力発揮のための反応時間を内外面１３ａ，１３ｂで異ならせることにより実現できる。
【００２９】
包材情報部１４は、シール部１３における貫通窓１１１に対応する部分に形成される。具体的には、包材情報部１４は、図２（Ｂ）及び図３（Ｂ）に示すように、シール部１３の内面１３ａ（芯部材１１への付着の際における内面）に、同付着の際に貫通窓１１１に対応する部分（具体的には芯部材１１の内方から見た場合に、貫通窓１１１を通して包材情報部１４が見える部分）に形成される。
【００３０】
図４（Ａ）〜（Ｃ）は、ロール体１の製造手順を説明するための図である。ロール体１を製造するにあたっては、まず印刷によって包材情報部１４をシール部１３に形成する。この後、芯部材１１（図４（Ａ））の外面に、図４（Ｂ）に示すように、包材情報部１４が形成されたシール部１３を貼り付ける。このとき、包材情報部１４が貫通窓１１１に対応するようにして、芯部材１１の外面にシール部１３を貼り付ける。次に、図４（Ｃ）に示すように、芯部材１１に包材１２を巻き付ける。このとき、芯部材１１とシール部１３（内面１３ａ）との間の付着力よりも大きな付着力で、包材１２の巻き始めの部分にシール部１３（外面１３ｂ）が貼り付けられる。
【００３１】
これらの工程によるロール体１の製造方法によれば、シール部１３に対する包材情報部１４の形成作業を容易化するとともに、包材情報部１４と貫通窓１１１との位置合わせ作業を容易化することができる。また包材１２を芯部材１１に仮止めすることができ、芯部材１１に包材１２を円滑に巻き付けることができる。
【００３２】
図５（Ａ）は、ロール体１と保持部２との関係を示す概略的な斜視図である。図示しないが、芯部材１１には、被係合部が設けられ、保持部２の軸部２１には、芯部材１１の被係合部に係合する係合部が設けられる。軸部２１にロール体１の芯部材１１が外嵌されたとき、軸部２１の係合部が、芯部材１１の被係合部に係合する。したがって芯部材１１は、軸部２１とともに回転する。
【００３３】
保持部２の軸部２１には、この保持部２によって保持されているロール体１の包材情報部１４を光学的に読み取る読取部６が設けられる。読取部６は、保持部２によって保持されているロール体１の芯部材１１の内方に配置され、ロール体１の包材情報部１４に対応するように設けられる。
【００３４】
読取部６は、包材１２を使い切ったことを検知するための検知部に接続される。本実施形態では、制御部と検知部とは一体に設けられている。しかしこれに限定されず、制御部と検知部とが別に設けられることもできる。
【００３５】
制御部は、読取部６による読取結果に基づいて、封止部５による熱圧着の温度を設定する。これによって包材１２を、この包材１２の種類に応じた温度で、熱圧着することができる。また検知部は、読取部６による読取結果に基づいて、包材１２を使い切ったことを検知する。具体的には、検知部は、保持部２に保持されているロール体１から、包材１２を引き出す引出動作中に、読取部６が包材情報部１４を読み取った読取信号を受信すると包材１２があると検知し、前記読取信号を受信しなくなると包材１２がなくなったと検知するよう構成されている。
【００３６】
ロール体１が保持部２に装着されると、読取部６は、ロール体１の包材情報部１４を読み取る。制御部は、読取部６による読取結果に基づいて、封止部５による熱圧着の温度を設定する。包材１２は、ロール体１から引き出され、半折り機構３によって半分に折られる。包材１２の半折り部分には、ホッパー４を介して薬剤が投入される。この薬剤を、封止部５によって、包材１２内に封止する。このとき、封止部５は、制御部によって設定される熱圧着の温度で包材１２を熱圧着する。薬剤包装装置は、ロール体１から包材１２を引き出しながら、前述のような薬剤の投入及び封止を繰り返す。
【００３７】
図５（Ｂ）は、芯部材１１から包材１２が離脱したところを示す概略的な斜視図である。ロール体１から包材１２が引き出されていくと、最後には、包材１２における芯部材１１への巻き付け端部も引き出される。このとき、包材１２とシール部１３との間の付着力が、芯部材１１とシール部１３との間の付着力よりも大きいので、図５（Ｂ）に示すように、包材情報部１４が形成されているシール部１３が包材１２とともに芯部材１１から引き離され、包材情報部１４が芯部材１１の貫通窓１１１に対応した位置から外れる。そのため、読取部６が包材情報部１４を読み取ることができなくなる。検知部は、読取部６が包材情報部１４を読み取ることができなくなったことをもって、包材１２を使い切ったことを検知する。
【００３８】
このように包材切れ検知機構は、ロール体１、保持部２、包材情報部１４、読取部６、検知部により構成される。
【００３９】
以上のような本実施形態によれば、ロール体１は、芯部材１１の外面と包材１２の内面との間に位置し、包材情報部１４を形成するために用いられるシール部１３を有し、このシール部１３における貫通窓１１１に対応する部分に、包材情報部１４が形成され、読取部６は、包材情報部１４に対応するように設けられる。したがって包材１２を使い切る直前まで、読取部６が包材情報部１４を読み取ることができ、制御部が封止部５を好適に制御することができる。
【００４０】
また、シール部１３は、芯部材１１及び包材１２に付着される。このようにシール部１３が芯部材１１にも付着されるので、芯部材１１の貫通窓１１１とシール部１３との位置合わせ作業を容易化することができる。
【００４１】
しかも包材１２とシール部１３との間の付着力が、芯部材１１とシール部１３との間の付着力よりも大きいので、ロール体１から包材１２が引き出されていくと、最後には、包材情報部１４が形成されているシール部１３が包材１２とともに芯部材１１から引き離され、包材情報部１４が、貫通窓１１１に対応した位置から外れ、読取部６が包材情報部１４を読み取ることができなくなる。
【００４２】
この点を踏まえて、検知部は、保持部２に保持されているロール体１から、包材１２を引き出す引出動作中に、読取部６が包材情報部１４を読み取った読取信号を受信すると包材１２があると検知し、前記読取信号を受信しなくなると包材１２がなくなったと検知するよう構成されている。このように検知部は、読取部６が包材情報部１４を読み取ることができなくなったことをもって、包材１２を使い切ったことを検知することができる。したがって、包材１２を使い切ったことを検知するための機械的な構成（例えば特許文献１に記載の「紙切れ検知ピン」等）を設ける必要がなく、故障し得る箇所を減少させられるため、故障の発生しにくい包材切れ検知機構とできる。
【００４３】
以上、本発明の一実施形態について説明したが、本発明は前記実施形態に限定されるものではなく、本発明の要旨を逸脱しない範囲内において種々の変更を加えることができる。
【００４４】
ロール体１は、予め半折りされた包材１２が芯部材１１に巻き付けられて構成されていてもよい。この場合、半折り機構３は不要となる。
【００４５】
包材情報部１４としては、二次元コード以外のコードが用いられてもよい。包材情報部１４として、例えばバーコード（一次元コード）が用いられてもよい。
【００４６】
包材情報部１４は、光学的に読み取り可能なものであれば、種々の手段を採用することができる。包材情報部１４は、文字、図形または記号を構成要素としてもよい。包材情報部１４は、色彩を構成要素としてもよい。包材情報部１４は、凹凸を構成要素としてもよい。さらに包材情報部１４は、物理的（光学的または視覚的）に分離した複数の要素によって構成されてもよい。
【００４７】
包材情報部１４を形成する方法としては、印刷以外の方法が用いられてもよい。光学的に読み取り可能な包材情報部１４を形成することができる方法であれば、包材情報部１４を形成する方法として、例えば蒸着やエッチングなどの、印刷の概念に当てはまらない種々の方法を採用することができる。
【００４８】
貫通孔である貫通窓１１１の有する空間には、嵌合部材が嵌合されていてもよい。この嵌合部材は、光が通過する材料から成り、これによって芯部材１１の内部から外部に向けて読取部６による光学的な読み取りが可能となる。この場合、貫通窓１１１および嵌合部材によって、光通過部が構成される。この構成では、貫通窓１１１の有する空間が嵌合部材により埋められることにより、嵌合部材の外面と芯部材１１の外面とを略同一面とでき、これによって貫通窓１１１に芯部材１１に巻き付けられた包材１２における貫通窓１１１に対応した部分に、凹みを発生しにくくすることができる。
【００４９】
また、芯部材１１には、必ずしも前記実施形態のような、貫通孔である貫通窓１１１を設ける必要はない。例えば、光が通過する材料と光が遮断される材料とで芯部材１１を一体成形し、光が通過する材料で形成された部分を光通過部とすることもできる。さらに芯部材１１の全体を、光が通過する材料で成形し、その一部、具体的には芯部材１１が保持部２に装着されたときに読取部６に一致する部分を光通過部とすることもできる。この場合、光通過部とする部分以外を塗装してもよく、または、無塗装のままとしてもよい。
【００５０】
薬剤包装装置は、包材１２に、この包材１２内に封止される薬剤に関する情報を印刷する印刷部をさらに備えていてもよい。薬剤包装装置は、前記実施形態の包材１２とは別のシート材であるインクリボンも使用する。印刷部は、インクリボンに関連する「印刷」という作用を奏する作用部となる。この場合、前記実施形態の芯部材１１とは別の芯部材にインクリボンが巻き付けられて、前記実施形態のロール体１とは別のロール体が構成される。そして、シート材切れ検知機構として、インクリボン切れ検知機構が構成される。
【符号の説明】
【００５１】
１        ロール体
１１      芯部材
１１１    光通過部、貫通窓
１１２    内面
１２      シート材、包材
１３      形成部、シール部
１４      シート材情報部、包材情報部
２        保持部
５        作用部、封止部
６        読取部
【図１】
0006530950.tif 000002
【図２】
0006530950.tif 000003
【図３】
0006530950.tif 000004
【図４】
0006530950.tif 000005
【図５】
0006530950.tif 000006